(57)【要約】【課題】　　　横線紋の発生を減らすことができる液晶表示装置を提供する。【解決手段】　液晶表示装置で、直前の行に印加されたデータ電圧に対して反転された極性のデータ電圧が印加される行に印加されるゲートオン信号のパルス幅を広げ、同一の極性のデータ電圧が印加される行に印加されるゲートオン信号のパルス幅を狭める。この時、液晶パネルの下段に向かうにつれてゲートオン信号のパルス幅の変調量が増加するのが好ましい。【選択図】　　　図２
2004126581.tif 000002
【特許請求の範囲】
【請求項１】
　互いに平行に列方向に配列された複数のデータ線及び互いに平行に行方向に配列された複数のゲート線が形成された液晶パネルと、
　前記データ線及び前記ゲート線に各々印加されるデータ電圧及びゲートオン信号のタイミングを調節する制御信号を出力する信号制御部と、
　前記信号制御部の制御信号に合せて前記データ線に前記データ電圧を出力するデータ駆動部と、
　前記信号制御部の制御信号に合せて前記ゲート線に前記ゲートオン信号を順次に出力するゲート駆動部と、
を含み、前記信号制御部は、互いに異なる極性のデータ電圧が印加される２つの行のうち、第２の行に印加されるゲートオン信号のパルス幅を、所定幅より第１変調量の分だけ広げる液晶表示装置。
【請求項２】
　前記信号制御部は前記２つの行のうち第１の行に印加されるゲートオン信号のパルス幅を、所定幅より第２変調量の分だけ狭める請求項１に記載の液晶表示装置。
【請求項３】
　前記信号制御部は２つの行を基準として極性が反転されたデータ電圧が印加されるように制御し、前記第１変調量は前記第２変調量と同一の値を有する請求項２に記載の液晶表示装置。
【請求項４】
　前記第１変調量は、前記液晶パネルにおいて、前記データ電圧が入力される領域から遠く離れた行に印加されるゲートオン信号であるほど大きい値を有する請求項１に記載の液晶表示装置。
【請求項５】
　前記第２の行に印加されるゲートオン信号のパルス幅の前記第１変調量は、
Ａ−Ｂ（Ｎ−Ｎlast）n（ここで、Ｎは前記液晶パネルに配置された複数の行において前記第２の行の順番であり、Ｎlastは前記複数の行のうち前記第１変調量が適用される最後の行の順番であり、ｎは多項式の次数であり、Ａ及びＢは前記液晶パネルの特性による値である）
の形態で決定される請求項４に記載の液晶表示装置。
【請求項６】
　前記Ａ及びＢは前記信号制御部の内部または外部に位置するメモリに保存されており、前記Ａ−Ｂ（Ｎ−Ｎlast）nの多項式計算は前記信号制御部の内部演算で行われる請求項５に記載の液晶表示装置。
【請求項７】
　前記信号制御部は前記液晶パネルに配置された複数の行を２つ以上の区間に分けて、各区間での前記第１変調量を線形的に増加させる請求項４に記載の液晶表示装置。
【請求項８】
　前記複数の行において、前記各区間の境における第１変調量が前記信号制御部の内部または外部メモリに保存されている請求項７に記載の液晶表示装置。
【請求項９】
　前記信号制御部は前記第１変調量によって増加する間隔を有するゲートクロックを出力し、
　前記ゲートオン信号は前記ゲートクロックの上昇エッジより所定時間遅れて立上がり、次のゲートクロックの上昇エッジと同時に立下がるまでの期間をパルス幅として有する請求項１に記載の液晶表示装置。
【請求項１０】
　前記信号制御部の出力端子と基準電位の間に直列に連結されており、その接続点での出力が前記信号制御部に入力される抵抗及びキャパシターをさらに含み、
　前記信号制御部の出力端子から出力される第１信号と、前記第１信号が前記抵抗及びキャパシターによって遅延された第２信号との間の遅延値によって前記第１変調量が決定される請求項１に記載の液晶表示装置。
【請求項１１】
　前記複数の行の第１変調量は少なくとも一つの行における第１変調量を係数として有する多項式によって決定される請求項１０に記載の液晶表示装置。
【請求項１２】
　前記少なくとも一つの行の第１変調量は前記抵抗によって可変である請求項１１に記載の液晶表示装置。
【請求項１３】
　複数の列方向データ線及び複数の行方向ゲート線が形成された液晶パネルと、
　前記データ線及び前記ゲート線に各々印加されるデータ電圧及びゲートオン信号のタイミングを調節する制御信号を出力する信号制御部と、
　前記信号制御部の前記制御信号に合せて前記データ線に前記データ電圧を出力するデータ駆動部と、
　前記信号制御部の前記制御信号に合せて前記ゲートオン信号を前記複数のゲート線に順次に出力するゲート駆動部と、
を含み、前記信号制御部は、第１極性のデータ電圧を第１の行に印加した後、極性反転した直後の第２極性のデータ電圧を第２の行に印加する時のゲートオン信号のパルス幅を、所定幅より第１変調量の分だけ広げる液晶表示装置。
【請求項１４】
　前記信号制御部は前記第１極性のデータ電圧を第１の行に印加した後、極性反転することなく同極性 のデータ電圧を第２の行に印加する時のゲートオン信号のパルス幅を、所定幅より第２変調量の分だけ狭める請求項１３に記載の液晶表示装置。
【請求項１５】
　複数の列方向データ線と、
　複数の行方向ゲート線と、
　前記データ線及び前記ゲート線に各々印加されるデータ電圧及びゲートオン信号の印加タイミングを調節するための信号制御手段と、
を含む液晶表示装置の駆動方法であって、
　前記信号制御手段は、第１極性のデータ電圧を第１の行に印加した後、極性反転した直後の第２極性のデータ電圧を第２の行に印加し、この時のゲートオン信号のパルス幅を、所定幅より第１変調量の分だけ広げる液晶表示装置の駆動方法。
【請求項１６】
　前記信号制御手段は前記第１極性のデータ電圧を第１の行に印加した後、極性反転することなく同極性のデータ電圧を第２の行に印加し、この時のゲートオン信号のパルス幅を、所定幅より第２変調量の分だけ狭める請求項１５に記載の液晶表示装置の駆動方法。
【発明の詳細な説明】
【技術分野】
【０００１】
　本発明は液晶表示装置に関し、特に液晶表示装置のゲートパルス幅変調方法に関する。
【背景技術】
【０００２】
　液晶表示装置（ＬＣＤ）は、共通電極や色フィルターなどが形成されている上部基板の配向膜と、薄膜トランジスタやゲート線、データ線、画素電極などが行列状に形成されている下部基板の配向膜との間に液晶物質を注入し、画素電極と共通電極に電圧を印加して作る電界で液晶分子群の配向を変更し、これで光の透過率を調節して画像を表示する装置である。
【０００３】
　このような液晶表示装置を駆動する時は、あるフレームで印加したデータ信号に対し反対極性のデータ信号を次のフレームで印加する反転駆動をする。反転駆動方式としては、１ドット反転方式、２ドット反転方式などがある。１ドット反転方式と２ドット反転方式はいずれも、あるフレームで印加したデータ信号と極性が反対のデータ信号を次のフレームで印加する方法である。１ドット反転方式は、直前にゲート線が駆動された画素行に印加するデータ信号に対して、現在駆動中のゲート線に連結された画素行に印加するデータ信号の極性を反対にする方法である。また、２ドット反転駆動方法は、現在駆動中の２つのゲート線に各々連結された２つの画素行に印加するデータ信号の極性を、直前に駆動された２つのゲート線に各々連結された２つの画素行に印加するデータ信号の極性に対して反転して駆動する方法である。なお、ここで記す極性とは、共通電極に対して画素電極の電位が高いか低いかの区別をいう。
【０００４】
　ところが、高い周波数で液晶表示装置を駆動するためには、ゲートオン信号のパルス幅を狭くする必要がある。しかし、２ドット反転方式で液晶表示装置を駆動する時、ゲートオン信号のパルス幅が短いと、極性反転したデータ信号が入力される画素ではデータ電圧を十分に充電できない。従って、極性反転されないデータ信号が印加される画素行と、極性反転されたデータ信号が印加される画素行の間に、充電不均衡が発生する。この充電不均衡が液晶表示装置の横線紋として現われ画質不良の原因になる。
【発明の開示】
【発明が解決しようとする課題】
【０００５】
　本発明が目的とする技術的課題は、横線紋の発生を減らすことができる液晶表示装置を提供することにある。
【課題を解決するための手段】
【０００６】
　このような課題を解決するために本発明は、ゲートオン信号のパルス幅を変調して、画素容量の充電を確実にする。
　本発明による液晶表示装置は、互いに平行に列方向に配列された複数のデータ線及び互いに平行に行方向に配列された複数のゲート線が形成された液晶パネル、データ線及びゲート線に各々印加されるデータ電圧及びゲートオン信号のタイミングを調節する制御信号を出力する信号制御部、ゲート駆動部及びデータ駆動部を含む。データ駆動部は前記信号制御部の制御信号に合せてデータ線にデータ電圧を出力し、ゲート駆動部は前記信号制御部の制御信号に合せてゲート線にゲートオン信号を順次に出力する。
【０００７】
　前記ゲート駆動部は、極性反転を２行以上の間隔で行うデータ電圧が順次印加される２つの行のうち、第２の行（反転直後の行）に印加されるゲートオン信号のパルス幅を、所定幅より第１変調量の分だけ広げたパルスを出力する。
　この時、前記ゲート駆動部は、前記２つの行のうちの第１の行（反転直後ではない行）に印加されるゲートオン信号のパルス幅を、所定幅より第２変調量の分だけ狭めたパルスを出力することが好ましい。そして前記信号制御部は、前記２つの行を基準として、極性反転したデータ電圧が印加されるように制御し、前記第１変調量は前記第２変調量と同じ値にすることができる。
【０００８】
　前記第１変調量は、前記液晶パネルにおいて、データ電圧が入力される領域から遠く離れた行に印加されるゲートオン信号であるほど大きい値を持つことが望ましい。
　本発明の一実施例によると、前記第２の行に印加されるゲートオン信号のパルス幅の前記第１変調量は、Ａ−Ｂ（Ｎ−Ｎlast）n（ここで、Ｎは前記液晶パネルに配置された複数の行における前記第２の行の順番であり、Ｎlastは複数の行のうち前記第１変調量が適用される最後の行の順番であり、ｎは多項式の次数であり、Ａ及びＢは前記液晶パネルの特性による値である）の形態で定められることが好ましい。そして、Ａ及びＢは前記信号制御部の内部または外部に位置するメモリに保存されており、Ａ−Ｂ（Ｎ−Ｎlast）nの多項式計算は前記信号制御部の内部演算によって行うことができる。
【０００９】
　本発明の他の実施例によると、前記信号制御部は前記液晶パネルに配置された前記複数の行を２つ以上の区間に分けて、各区間での前記第１変調量を線形的に増加させるのが良い。そして前記複数の行において各区間の境界での前記第１変調量が前記信号制御部の内部または外部メモリに保存されることができる。
　本発明の他の実施例によると、前記信号制御部は前記第１変調量に従って増加する間隔を有するゲートクロックを出力する。そしてゲートオン信号はゲートクロックの上昇エッジより所定時間遅れて立上がり、次のゲートクロックの上昇エッジと同時に立下がるまでの期間をパルス幅として有することが好ましい。
【００１０】
　本発明の他の実施例によると、前記信号制御部の第１信号出力端子から抵抗とキャパシターが順次に基準電位まで直列に連結されており、その中間接続点における信号が前記信号制御部に第２信号として入力される。そして前記第１信号に対する前記第２信号の遅延値によって第１変調量が決定されることが好ましい。また、複数の行の第１変調量は少なくとも一つの行の第１変調量を係数として持つ多項式によって定めることができる。この時、少なくとも一つの行の第１変調量は抵抗によって調節可能である。
【００１１】
　更に他の観点で眺めた本発明には、複数の列方向データ線及び複数の行方向ゲート線が形成された液晶パネルと、前記データ線及び前記ゲート線に各々印加されるデータ電圧及びゲートオン信号のタイミングを調節する制御信号を出力する信号制御部と、前記信号制御部の前記制御信号に合せて前記データ線に前記データ電圧を出力するデータ駆動部、及び前記信号制御部の前記制御信号に合せて前記ゲートオン信号を前記複数のゲート線に順次に出力するゲート駆動部を含み、前記信号制御部は、第１極性のデータ電圧を第１の行に印加した後、極性反転した直後の第２極性のデータ電圧を第２の行に印加する時のゲートオン信号のパルス幅を、所定幅より第１変調量の分だけ広げる液晶表示装置が含まれ、更に他の観点によれば、前記信号制御部は前記第１極性のデータ電圧を第１の行に印加した後、極性反転することなく同極性のデータ電圧を第２の行に印加する時のゲートオン信号のパルス幅を、所定幅より第２変調量の分だけ狭める液晶表示装置も含まれる。
【００１２】
　以上は物の構造として記述した本発明であるが、使用方法の観点から眺めると、複数の列方向データ線、複数の行方向ゲート線、前記データ線及び前記ゲート線に各々印加されるデータ電圧及びゲートオン信号の印加タイミングを調節するための信号制御手段、を含む液晶表示装置の駆動方法であって、前記信号制御手段は、第１極性のデータ電圧を第１の行に印加した後、極性反転した直後の第２極性のデータ電圧を第２の行に印加し、この時のゲートオン信号のパルス幅を、所定幅より第１変調量の分だけ広げる液晶表示装置の駆動方法が本発明に含まれ、更に前記信号制御手段は前記第１極性のデータ電圧を第１の行に印加した後、極性反転することなく同極性のデータ電圧を第２の行に印加し、この時のゲートオン信号のパルス幅を、所定幅より第２変調量の分だけ狭める液晶表示装置の駆動方法も本発明に含まれる。
【発明の効果】
【００１３】
　本発明によれば、極性反転直後のデータ電圧が印加される行ではゲートオン信号のパルス幅を長くするので、データ線容量及び画素容量にデータ電圧が充分充電できて、正負両極性のデータ電圧が均衡するので横線紋が発生しない。また、極性を反転しないデータ電圧が印加される行でもゲートオン信号のパルス幅が適切に狭く調節できるので横線紋の反転現象を起こさずに、動作周波数を高くできる。
【発明を実施するための最良の形態】
【００１４】
　以下、添付の図面に基づいて本発明の実施例について本発明の属する技術分野における通常の知識を有する者が容易に実施できるように詳細に説明する。しかし、本発明は多様に異なる形態で実現することができ、ここに説明する実施例に限定されない。次は、本発明の実施例による液晶表示装置について図面に基づいて詳細に説明する。
　図１は本発明の実施例による液晶表示装置の概略的な平面図である。
【００１５】
　図１に示すように、本発明の実施例による液晶表示装置は液晶パネル３００、ゲート駆動部４００、データ駆動部５００及び信号制御部６００を含む。ゲート及びデータ駆動部４００，５００は液晶パネル３００の上側及び左側に各々位置する。液晶パネル３００には走査信号またはゲートオン信号を伝達する複数のゲート線Ｇ1-ＧNが横方向にのびて形成されており、画像信号またはデータ信号を伝達する複数のデータ線Ｄ1-ＤMが縦方向にのびて形成されている。そして液晶パネル３００にはゲート線Ｇ1-ＧNとデータ線Ｄ1-ＤMを通じて入力される信号によって画像を表示する複数の画素（図示せず）がマトリックス状に設けられている。
【００１６】
　信号制御部６００は複数のＲＧＢ階調信号をデータ駆動部５００に供給し、ゲート及びデータ駆動部４００，５００を駆動するための制御信号をゲート及びデータ駆動部４００，５００に供給する。ゲート駆動部４００はゲートオン信号を生成して信号制御部６００からの制御信号に合せてゲート線Ｇ1-ＧNに印加する。データ駆動部５００は信号制御部６００からの階調信号に基づいてデータ電圧を選択し、このデータ電圧を信号制御部６００からの制御信号に合せて画像信号としてデータ線Ｄ1-ＤMに印加する。
【００１７】
　以下に、本発明の実施例によるゲートオン信号を生成する方法について図２乃至図４に基づいて詳しく説明する。本発明の実施例における液晶表示装置は２ドット反転方式で駆動されるものとし、偶数番目ゲート線Ｇ2，Ｇ4，…，Ｇ2nに連結された画素に印加されるデータ電圧が直前のゲート線に連結された画素に印加されるデータ電圧に対して反転した電圧とする。そしてＳＸＧＡ（１２８０×１０２４）の解像度を有する液晶表示装置を例として説明する。
【００１８】
　図２は本発明の実施例によるゲートオン信号のタイミング図であり、図３ａ乃至図３ｃは各々液晶パネルの左側、中央及び右側でゲートオン信号のパルス幅の変調領域を示すものである。図４は図３ａ乃至図３ｃに共通する変調領域を示すものである。
　図２に示すように、本発明の実施例では、偶数番目のゲート線Ｇ2iに印加されるゲートオン信号Ｓ2iのパルス幅を変調量Ｗ2iの分だけ広げて隣接する奇数番目のゲート線Ｇ2i+1またはＧ2i-1に印加されるゲートオン信号Ｓ2i+1またはＳ2i-1のパルス幅を変調量Ｗ2iの分狭める。この際、変調量Ｗ2iは偶数番目のゲート線Ｇ2iに連結された画素に充分なデータ電圧が充電されて横線紋が現れない程度の大きさのものが好ましい。
【００１９】
　しかし、変調量Ｗ2iがあまり大きいと奇数番目のゲートオン信号Ｓ2n+1のパルス幅が狭くなって、奇数番目のゲート線Ｇ2n+1に連結された画素にデータ電圧が充電される時間が短くなる。そうすると、ノーマリブラックモードでは奇数番目のゲート線Ｇ2n+1に連結された画素が暗く表示され、ノーマリホワイトモードではこの画素が明るく表示される現象（以下、“横線紋の反転現象”という。）が現われる。従って、変調量Ｗ2iは図３ａ乃至図３ｃに示すように偶数番目のゲート線に連結された画素の充電量を補償することができる最少の変調量Ｃｎと横線紋の反転現象が現れない最大の変調量Ｉｎの間が好ましい。
【００２０】
　そして、本発明の実施例のように、液晶パネル３００の左側にゲート駆動部４００が位置する時は、右側に向かうにつれてゲートオン信号の遅延が生じて少ない変調量でもデータ電圧の充電量を補償することができるようになる。つまり、図３ａ乃至図３ｃに示すように、液晶パネル３００の右側での補償条件及び反転条件が液晶パネル３００の左側よりさらに低い。ところが、液晶パネル３００の左側と中央及び右側に印加するゲートオン信号のパルス幅の変調量を異ならせることができないため、図４に示すように、三つの領域で共通する狭い領域に該当する変調量を選ぶ必要がある。
【００２１】
　なお、液晶パネル３００の下段に向かうにつれてデータ線の負荷が増加するのでデータ電圧の遅延もまた増加するようになる。従って、図３ａ乃至図３ｃ、図４に示すように、このようなデータ電圧の遅延を補償するためには液晶パネル３００の下段に向かうにつれてゲートオン信号のパルス幅の変調量が増加するのが好ましい。次は、変調量を変化させる方法について図５乃至図８を参照して詳しく説明する。
【００２２】
　図５は液晶パネルで要求されるゲートオン信号のパルス幅の変調量を示すグラフであり、図６乃至図８は各々本発明の実施例によるゲートオン信号のパルス幅の変調量を示すグラフである。
　図５に示すように、液晶パネル３００で要求されるゲートオン信号のパルス幅の変調量の範囲Ｃｎ〜Ｉｎ内でパルス幅を変調すれば、横線紋及び横線紋の反転現象が現れない。
【００２３】
　図６に示した第１の実施例では、第１の偶数ゲート線Ｇ2のゲートオン信号Ｓ2を変調せずに最後の偶数ゲート線Ｇ1024のゲートオン信号Ｓ1024の変調量を最少とする。そしてゲートオン信号のパルス幅の変調量を各々１次乃至４次の多項式によって決める。この時、変調量は数式１のとおりである。
【００２４】
【数１】
2004126581.tif 000003
【００２５】
　ここで、ｉはゲート線Ｇiの位置を示し、Ｗ2iは２ｉ番目のゲート線に印加されるゲートオン信号のパルス幅の変調量であり、Ｇ2iは２ｉ番目のゲート線であり、Ｗ1024は１０２４番目のゲート線に印加されるゲートオン信号のパルス幅の変調量であり、Ａは変調量曲線の形態を決定する値であって第１偶数行のゲート線Ｇ2に印加されるゲートオン信号Ｓ2変調量によって決定され、第１の実施例では、
【００２６】
【数２】
2004126581.tif 000004
【００２７】
として与えられる。
　この時、図６に示すように、１次式の変調を行う際は横線紋が多く現れ、２次式の際は一部領域に横線紋が現れる。従って、第１偶数のゲート線Ｇ2と最後の偶数ゲート線Ｇ2に印加されるゲートオン信号Ｓ2，Ｓ1024の変調量を最少とする際には３次式以上の変調を行うことが最も好ましい。ただし、液晶パネル３００の特性によって２次式の変調を行う際も横線紋がほとんど発生しない場合もあり得る。
【００２８】
　そして２つの変数Ａ，Ｗ1024さえ与えれば任意の偶数ゲート線Ｇ2iでのゲートオン信号のパルス幅変調量Ｗ2iは、式１により、信号制御部６００のロジック演算で求めることができる。このような変数Ａ，Ｗ1024は、信号制御部６００の内部メモリまたは外部メモリに保存されることができ、外部メモリに保存される際に信号制御部６００は、外部メモリからＩ2Ｃなどのデジタルバス方式でデータを受信する。信号制御部６００は２つの変数Ａ，Ｗ1024を用いて式１の演算を行い全てのゲート線での変調量を計算してゲートオン信号のパルス幅を調節する。つまり、信号制御部６００は、反転されたデータ電圧が印加されるゲート線Ｇ2iのゲートオン信号のパルス幅を演算した変調量Ｗ2iの分だけ広げ、隣接したゲート線Ｇ2i+1またはＧ2i-1のゲートオン信号のパルス幅をこの変調量Ｗ2iの分だけ狭める。
【００２９】
　ゲートオン信号のパルス幅の変調量を調節するために、信号制御部６００は図２に示すように、ゲートクロック信号ＣＰＶと出力イネーブル信号ＯＥのタイミングを調節する。ゲート駆動部４００はＣＰＶ信号の上昇エッジから次のＣＰＶ信号の上昇エッジまでを一周期としてゲートオン信号を出力しようとするが、ＯＥ信号の下降エッジから次の上昇エッジまでだけ出力できる。従って、信号制御部６００はＣＰＶ信号の間隔を変調量の分だけ変化させてＯＥ信号のタイミングをこれに合わせて調節し、ゲートオン信号のパルス幅を変調する。
【００３０】
　次に図７によれば、本発明の第２の実施例において、第１の偶数ゲート線Ｇ2に印加されるゲートオン信号を一定量変調し、最後の偶数ゲート線Ｇ1024に印加されるゲートオン信号の変調量を最小値と最大値の間のものとする。そうすると、数式１でのＡは、
【００３１】
【数３】
2004126581.tif 000005
【００３２】
として与えられる。
　本発明の第２の実施例のように変調を行えば、図８に示すように、２次式の変調を行う際も横線紋と横線紋の反転が現れない。そして第１の実施例のように、第２の実施例でも、変調量を決定する２つの変数Ａ，Ｗ1024は信号制御部６００の内部メモリまたは外部メモリに保存されることができる。
【００３３】
　本発明の第１及び第２の実施例では、多項式を決定する２つの変数を信号制御部６００の内部または外部メモリに保存してから、ゲートオン信号のパルス幅の変調量を式１に示した演算によって決定する。一方、第１及び第２の実施例とは異なり、一つの多項式を使用せず、区間を分けて各々異なる１次式を適用して変調量を決めることができ、以下に図９を参照してこのような実施例について説明する。
【００３４】
　図８によれば、本発明の第３の実施例において、中間ゲート線Ｇ512を中心に液晶パネル３００の上側及び下側に位置するゲート線に印加されるゲートオン信号のパルス幅の変調を各々数式２及び数式３のように１次式で計算する。
【００３５】
【数４】
2004126581.tif 000006
【００３６】
【数５】
2004126581.tif 000007
【００３７】
　このように、本発明の第３の実施例では、第１の偶数ゲート線Ｇ2及び最後の偶数ゲート線Ｇ1024での変調量Ｗ2，Ｗ1024と境界ゲート線Ｇ512での変調量Ｗ512さえ与えれば、式２及び式３を通じて全てのゲート線の変調量を決めることができる。そして、このような変数Ｗ2，Ｗ512，Ｗ1024は、第１及び第２の実施例のように信号制御部６００の内部または外部メモリに保存できる。
【００３８】
　第３の実施例のように変調を行えば、図９に示すようにどのラインにも横線紋または横線紋の反転現象が現れない。そして第３の実施例では、２つの領域に分けて他の１次式を適用したが、三つ以上の領域に分けてそれぞれ異なる１次式を適用することができる。
　本発明の第１乃至第３の実施例では、最後の偶数ゲート線Ｇ1024での変調量Ｗ1024がメモリに保存されているが、この値は可変である。以下にこのような実施例について図９及び図１０を参照して説明する。
【００３９】
　図９は本発明の第４の実施例による信号制御部を示すものであり、図１０は本発明の第４の実施例による信号制御部の入出力の波形を示すものである。
　図９に示すように、信号制御部６００から出力される任意の信号Ｖｉｎが抵抗Ｒの一方の端子に入力される。抵抗Ｒと接地端０との間にはキャパシターＣが直列に連結されており、抵抗ＲとキャパシターＣの接続点から出力される信号Ｖｏｕｔが信号制御部６００に入力される。そうすると、図１０に示すように、入力信号Ｖｉｎが抵抗ＲとキャパシターＣによって遅延して出力信号Ｖｏｕｔとして出力され、出力信号Ｖｏｕｔは数式４のとおりである。
【００４０】
【数６】
2004126581.tif 000008
【００４１】
　信号制御部６００は、入力信号Ｖｉｎに対する出力信号Ｖｏｕｔの遅延をクロックを利用して測定し、遅延値Ｄによって最後の偶数ゲート線Ｇ1024に印加されるゲートオン信号の変調量を調節する。この際、遅延は時定数と呼ばれる抵抗値Ｒとキャパシター値Ｃの積ＲＣによって決定されるので、抵抗Ｒの大きさを可変にして変調量を調節することができる。従って、抵抗Ｒの大きさを変化させながら横線紋が現れない変調量を見つけることができる。
【００４２】
　本発明の第１乃至第４の実施例では、図４に示した補償領域に含まれるようにゲート信号のパルス幅を変調したが、液晶パネル３００の工程条件によって補償領域が変わることがある。この際互いに異なる補償領域を同時に満足する領域が存在しないことがあるので、補償領域を広げる必要がある。以下にこのような実施例について図１１を参照して詳しく説明する。
【００４３】
　図１１は本発明の第５の実施例によるゲートオン信号のタイミング図である。
　本発明の第５の実施例では、補償領域を拡大するためにゲート信号のパルス幅を広げる。ゲート信号のパルス幅が広まると奇数番目のゲート線に印加するゲート信号のパルス幅を狭める量が増加する。つまり、図３ａ乃至図３ｃで説明した横線紋の反転現象が起こる境界Ｉｎ以上に変調を行っても反転現象が起こらない。従って、補償領域を拡大することができる。
【００４４】
　このようにするために、本発明の第５の実施例では、ゲート信号のパルス幅を広げるため信号制御部６００はＯＥ信号を出力しない。そうすると、図１１に示すようにゲート駆動部４００はＣＰＶ信号の周期に合せてゲート信号パルスを出力する。従って、信号制御部６００はＣＰＶ信号の周期を変調量の分変化させて出力すれば、ゲート信号はこの変調量の分だけパルス幅が変調される。この時、ゲート信号パルスの立上がりをＣＰＶ信号の立上がりより所定時間遅らせることが望ましい。これは、データ信号の発生や信号伝播のタイミングに誤差、変動があっても、極性反転前の信号と反転後の信号との混合が生じないようにするためである。
【００４５】
　このように第５の実施例によれば、ゲート信号のパルス幅が広まるので前述した補償領域を拡大することができる。従って、液晶パネルの工程偏差が存在しても同一の信号制御部６００を利用して変調量を調節することができる。
　本発明の第１乃至第５の実施例では、奇数番目のゲート線に印加されるゲートオン信号のパルス幅を、隣接した偶数番目のゲート線に印加されるゲートオン信号のパルス幅の変調量の分だけ狭めることを説明したが、２つの変調量を異ならせるることもでき、さらに、奇数番目のゲート線のゲートオン信号のパルス幅は変調しないこともあり得る。
【００４６】
　ゲート線Ｇ2iのゲートオン信号のパルス幅を演算した変調量Ｗ2iの分だけ広げ、隣接したゲート線Ｇ2i+1またはＧ2i-1のゲートオン信号のパルス幅をこの変調量Ｗ2iの分だけ狭める。
　以上、本発明の好ましい実施例について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００４７】
【図１】本発明の実施例による液晶表示装置の概略的な平面図である。
【図２】各々本発明の実施例によるゲートオン信号のタイミング図である。
【図３ａ】液晶パネルの左側、中央及び右側のゲートオン信号パルス幅の変調領域を示すものである。
【図３ｂ】液晶パネルの左側、中央及び右側のゲートオン信号パルス幅の変調領域を示すものである。
【図３ｃ】液晶パネルの左側、中央及び右側のゲートオン信号パルス幅の変調領域を示すものである。
【図４】図３ａ乃至図３ｃにおいて共通する変調領域を示すものである。
【図５】液晶パネルで要求されるゲートオン信号のパルス幅の変調量を示すグラフである。
【図６】本発明の実施例によるゲートオン信号のパルス幅の変調量を示すグラフである。
【図７】本発明の実施例によるゲートオン信号のパルス幅の変調量を示すグラフである。
【図８】本発明の実施例によるゲートオン信号のパルス幅の変調量を示すグラフである。
【図９】本発明の実施例による信号制御部を示すものである。
【図１０】図９に示した信号制御部の入出力波形のタイミング図である。
【図１１】各々本発明の実施例によるゲートオン信号のタイミング図である。
【符号の説明】
【００４８】
　　３００　　液晶パネル
　　４００　　ゲート駆動部
　　５００　　データ駆動部
　　６００　　信号制御部
【図１】
2004126581.tif 000009
【図２】
2004126581.tif 000010
【図３ａ】
2004126581.tif 000011
【図３ｂ】
2004126581.tif 000012
【図３ｃ】
2004126581.tif 000013
【図４】
2004126581.tif 000014
【図５】
2004126581.tif 000015
【図６】
2004126581.tif 000016
【図７】
2004126581.tif 000017
【図８】
2004126581.tif 000018
【図９】
2004126581.tif 000019
【図１０】
2004126581.tif 000020
【図１１】
2004126581.tif 000021